(57)【特許請求の範囲】
【請求項１】
天井面に固定する上方鉛直板との間に防振ゴムを連結させて設けた下方鉛直板に吊り天井を取り付けた吊り天井支持装置であって、
前記下方鉛直板の上部に挿通孔若しくは切欠きを有する係止部を設けるとともに、
前記上方鉛直板に上方に突設して前記係止部が挿入・係止する突起若しくは係止片を有する受部を前記係止部の直下に設け、
前記防振ゴムの焼損時に上方鉛直板と下方鉛直板とが分断された場合に下方鉛直板が降下して下方鉛直板の係止部が上方鉛直板の受部に係止することを特徴とする吊り天井支持装置。
【請求項２】
前記係止部は、下方鉛直板の上端部を上方鉛直板に向けて折り曲げて挿通孔を形成して構成され、前記受部は、上方鉛直板側の中間部に上方に向いて鉤状に突出した突起を有して構成され、防振ゴムの焼損時に突起が挿通孔に挿入されることを特徴とする請求項１に記載の吊り天井支持装置。
【請求項３】
前記係止部は、下方鉛直板の上端部にＬ字形の切欠きの先端に下方に折曲した係止片を有して構成され、前記受部は、上方鉛直板側の中間部に上方に向いて鉤状に突出した突起を有して構成され、防振ゴムの焼損時に突起が挿通孔に挿入されることを特徴とする請求項１に記載の吊り天井支持装置。
【請求項４】
天井面に固定する上方鉛直板との間に防振ゴムを連結させて設けた下方鉛直板に吊り天井を取付けた吊り天井支持装置であって、
前記下方鉛直板の上部に係止部を設け、
この係止部は、下方鉛直板の上端部に対向する上方鉛直板の受部に向けて斜め下方に折曲した係止片を有して構成され、
前記上方鉛直板に上方に突設して前記係止部が挿入・係止する受部を前記係止部の直下に設け、
この受部は、上方鉛直板側の中間部に対向する下方鉛直板に向けて斜め上方に傾いているとともに両側が上向きに折曲された係止片を有して構成され、
前記防振ゴムの焼損時に下方鉛直板の係止片が上方鉛直板の係止片に当接することを特徴とする吊り天井支持装置。
【発明の詳細な説明】
【０００１】
【発明の属する技術分野】
この発明は、住宅、特に集合住宅、体育館、デパート、その他各種の建物内部の吊り天井を支持する吊り天井支持装置に関するものである。
【０００２】
【従来の技術】
例えば集合住宅等で、天井面に吊り金具で内装天井板等を吊り下げて支持するような吊り天井の場合には、内装天井板の振動を防止するために、防振ゴム等を吊り金具に介在させた天井支持装置が知られている。
また、このような天井装置にあっては、火災等によって防振ゴムが焼損しても吊り天井が脱落せぬような構成のものが開発されている。
【０００３】
このような天井支持装置として、例えば図８及び図９に示すように、天井スラブ面側に固定する上方鉛直板１００に孔１００Ａを設けるとともに、野縁等を固定する下方鉛直板１０１にはその孔１００Ａに挿通した下向き鉤状の係止突起１０１Ａを上端部に設けた構成のものが知られている。なお、図中符号１０２は防振ゴムを示す。
【０００４】
【発明が解決しようとする課題】
しかしながら、このような構成のものにあっては、上方鉛直板の孔に下方鉛直板の係止突起を挿入させた状態でゴムを注入成形させなければならないから、その製造が面倒で問題となっている。また、係止突起が他の構造物と接触しないようにしなければならず、取付が非常に面倒であった。
【０００５】
そこで、この発明は、上記した事情に鑑み、簡単に製造することができ、その分製造コストの削減を図ることができ、又、取付も簡単な天井支持装置を提供することを目的とするものである。
【０００６】
【課題を解決するための手段】
即ち、この請求項１に係る発明は、天井面に固定する上方鉛直板との間に防振ゴムを連結させて設けた下方鉛直板に吊り天井を取り付けた吊り天井支持装置であって、前記下方鉛直板の上部に挿通孔若しくは切欠きを有する係止部を設けるとともに、前記上方鉛直板に上方に突設して前記係止部が挿入・係止する突起若しくは係止片を有する受部を前記係止部の直下に設け、前記防振ゴムの焼損時に上方鉛直板と下方鉛直板とが分断された場合に下方鉛直板が降下して下方鉛直板の係止部が上方鉛直板の受部に係止するようにしたものである。
【０００７】
【発明の実施の形態】
以下、この発明の好適な実施例について添付図面を参照しながら説明する。
なお、この実施例において、従来例と同一部分には同一符号を付して重複説明を避ける。
図１及び図２はこの発明にかかる第１実施例の天井支持装置を示すものであり、この天井支持装置は、上方鉛直板１側の中間部に上方に向いて鉤状に突出した突起１０を有する受部１Ａを設けている。また、この下方鉛直板２には、上端部に挿通孔２０を有する係止部２Ａを設け、この挿通孔２０が係止部１Ａの直上に配置されている。
【０００８】
従って、この第１実施例によれば、万一火災等で防振ゴム１０２部分が焼損して上方鉛直板１と下方鉛直板２とが分断された場合には、下方鉛直板２は支持する内装天井板等による重量で降下し、図３に示すように、下方鉛直板２の挿通孔２０に丁度上方鉛直板１の突起１０が挿入される恰好となる。これにより、下方鉛直板２は上方鉛直板１に係止するから、この下方鉛直板２に取り付けてある内装天井板も脱落が防止できる。
【０００９】
図４及び図５はこの発明にかかる第２実施例の天井支持装置を示すものであり、この天井支持装置は、上方鉛直板３側の中間部に上方に向いて鉤状に突出した突起３０を有する受部３Ａを設けている。一方、下方鉛直板４の上端部には、Ｌ字形の切欠き４０の先端に下方に折曲した係止片４１を有する係止部４Ａが形成されている。
【００１０】
従って、この実施例によれば、先の第１実施例と同様に、防振ゴム１０２部分が焼損して上方鉛直板３と下方鉛直板４とが分断されても、係止片４１が受部３Ａに係止して脱落を防止できる。
【００１１】
図６及び図７はこの発明にかかる第３実施例の天井支持装置を示すものであり、この天井支持装置は、上方鉛直板５側の中間部に、対向する下方鉛直板６に向けて斜め上方に傾いているとともに両側が上向きに折曲された係止片５０を有する受部５Ａを設けている。一方、下方鉛直板６の上端部には、対向する上方鉛直板５の受部５Ａに向けて斜め下方に折曲した係止片６１を有する係止部６Ａが形成されている。
【００１２】
従って、この実施例によれば、先の第１実施例と同様に、防振ゴム１０２部分が焼損して上方鉛直板５と下方鉛直板６とが分断されても、係止片６１が受部５Ａに上から当接し、しかもこの係止片６１が受部５Ａから落下するのを係止片５０で防止できる。
【００１３】
【発明の効果】
以上説明してきたように、この発明によれば、天井面に固定する上方鉛直板との間に防振ゴムを連結させて設けた下方鉛直板に吊り天井を取り付けた吊り天井支持装置であって、
前記下方鉛直板の上部に挿通孔若しくは切欠きを有する係止部を設けるとともに、前記上方鉛直板に上方に突設して前記係止部が挿入・係止する突起若しくは係止片を有する受部を前記係止部の直下に設け、前記防振ゴムの焼損時に上方鉛直板と下方鉛直板とが分断された場合に下方鉛直板が降下して下方鉛直板の係止部が上方鉛直板の受部に係止するようにしたので、換言すれば、面倒な組付け作業を必要とせずに極く簡単に製造することができ、又、他の構造物との接触を考えず簡単に取付作業を行うことができ、これにより火災等によって防振ゴムが焼損して下方鉛直板が上方鉛直板と分断されても、内装天井板等が落下するといった危険性を廉価な天井支持装置で確実に防止できる。
【図面の簡単な説明】
【図１】この発明の第１実施例に係る天井支持装置を示す側面断面図。
【図２】図１の平面図。
【図３】作用を示す説明図。
【図４】この発明の第２実施例に係る天井支持装置を示す側断面図。
【図５】同平面図。
【図６】この発明の第３実施例に係る天井支持装置を示す側断面図。
【図７】同平面図。
【図８】従来の天井支持装置を示す側面図。
【図９】同正面図。
【符号の説明】
１，３，５  上方鉛直板
２，４，６  下方鉛直板
１Ａ，３Ａ，５Ａ  受部
２Ａ，４Ａ，６Ａ  係止部
【図１】
0004024372.tif 000002
【図２】
0004024372.tif 000003
【図３】
0004024372.tif 000004
【図４】
0004024372.tif 000005
【図５】
0004024372.tif 000006
【図６】
0004024372.tif 000007
【図７】
0004024372.tif 000008
【図８】
0004024372.tif 000009
【図９】
0004024372.tif 000010